【手続補正書】
【提出日】平成16年5月11日(2004.5.11)
【手続補正１】
【補正対象書類名】明細書
【補正対象項目名】特許請求の範囲
【補正方法】変更
【補正の内容】
【特許請求の範囲】
【請求項１】
記録に供するファイルと、前記ファイルの管理用情報とを組にして光ディスクのユーザーエリアに記録する光ディスクの記録方法であって、
前記ファイルの属性に応じて、前記ユーザーエリアに対する前記ファイル及び前記管理用情報の記録フォーマットを切り換え、
仮管理情報により主ファイルを管理し、
中間管理情報により主ファイル以外の拡張ファイルを管理し、
空き領域管理情報により上記主ファイル及び拡張ファイルが記録される空き領域を管理して、
上記主ファイル及び拡張ファイルを混在させて光ディスクに記録することを特徴とする光ディスク記録方法。
【請求項２】
前記空き領域管理情報は、ＥＣＣブロックの使用状況をビットで表した空間ビットマップ情報と、
前記ビットマップ情報のビットサイズが記述された空間ビットマップ管理テーブルからなり、
前記主ファイルと、該主ファイルのフォーマットに準拠していない前記拡張ファイルが記録される空き領域を管理することを特徴とする請求項１記載の記録方法。
【請求項３】
前記ファイル及び前記管理用情報の記録フォーマットは、前記ファイルが動画のファイルの場合、ＤＶＤビデオフォーマットであり、前記光ディスクはＤＶＤ−ＲＷ(DVD-Recordable)であり、前記ファイルは前記ＤＶＤビデオフォーマットにおけるＶＴＳ(Video Title Set)であり、さらに、前記管理情報は前記ＤＶＤビデオフォーマットにおけるＶＭＧＩ(Video Manager Information)であり、仮ＶＭＧＩ（ＴＭＰ＿ＶＭＧＩ）によりＤＶＤビデオファイルを管理するとともに、前記中間管理情報（ＴＭＰ＿ＥＸＴＩ）により前記ＤＶＤビデオファイル以外の前記拡張ファイルを管理し、前記空き領域管理情報（TMP_SBM：Temporary SpaceBitmap）により前記ＤＶＤビデオファイル及び前記拡張ファイルの記録領域を管理して、ＲＯＷ(Restricted Over Write)方式でＤＶＤビデオファイル及び拡張ファイルを記録することを特徴とする請求項１に記載の光ディスク記録方法。
【請求項４】
前記空き領域管理情報は、ＥＣＣブロックの使用状況をビットで表した空間ビットマップ情報と、前記ビットマップ情報のビットサイズが記述された空間ビットマップ管理テーブルからなり、
前記ＤＶＤビデオフォーマットに準拠した前記主ファイルと、
前記ＤＶＤビデオフォーマットに準拠していない前記拡張ファイルが記録される空き領域を管理することを特徴とする請求項３記載の記録方法。
【請求項５】
前記ＤＶＤビデオファイルを管理する前記仮ＶＭＧＩ（ＴＭＰ＿ＶＭＧＩ）、記ＤＶＤビデオファイル以外の前記拡張ファイルを管理する前記中間管理情報（ＴＭＰ＿ＥＸＴＩ）、前記ＤＶＤビデオファイル及び前記拡張ファイルの記録領域を管理する前記空き領域管理情報（ＴＭＰ＿ＳＢＭ）に基づいて、前記ＲＯＷ方式で記録されたＤＶＤビデオファイル及び拡張ファイルを管理するコンピュータ処理用のＵＤＦのデータを作成するとともに、前記仮ＶＭＧＩ（ＴＭＰ＿ＶＭＧＩ）だけからＤＶＤプレーヤ処理用のＶＭＧデータを作成して、ファイナライズ処理を行う特徴とする請求項４に記載の光ディスク記録方法。
【請求項６】
記録に供するファイルの管理用情報を生成する管理用情報生成手段と、
前記ファイルと、前記ファイルに対応する前記管理用情報とを組にして光ディスクのユーザーエリアに記録する記録手段と、
少なくとも前記管理用情報生成手段、前記記録手段の動作を制御する制御手段とを備え、
前記制御手段は、前記ファイルの属性に応じて、前記ユーザーエリアに対する前記ファイル及び前記管理用情報の記録フォーマットを切り換え、仮管理情報により主ファイルを管理し、中間管理情報により主ファイル以外の拡張ファイルを管理し、空き領域管理情報により前記主ファイル及び拡張ファイルが記録される空き領域を管理して、前記主ファイル及び拡張ファイルを混在させて光ディスクに記録する制御を行うことを特徴とする光ディスク記録装置。
【請求項７】
前記空き領域管理情報は、ＥＣＣブロックの使用状況をビットで表した空間ビットマップ情報と、前記ビットマップ情報のビットサイズが記述された空間ビットマップ管理テーブルからなり、
前記制御手段は、前記主ファイルと、該主ファイルのフォーマットに準拠していない前記拡張ファイルが記録される空き領域を管理することを特徴とする請求項６記載の記録方法。
【請求項８】
前記ファイル及び前記管理用情報の記録フォーマットは、前記ファイルが動画のファイルの場合、ＤＶＤビデオフォーマットであり、前記光ディスクはＤＶＤ−ＲＷ(DVD-Recordable)であり、前記ファイルは前記ＤＶＤビデオフォーマットにおけるＶＴＳ(Video Title Set)であり、さらに、前記管理情報は前記ＤＶＤビデオフォーマットにおけるＶＭＧＩ(Video Manager Information)であり、
上記制御手段は、仮ＶＭＧＩ（ＴＭＰ＿ＶＭＧＩ）によりＤＶＤビデオファイルを管理するとともに、前記中間管理情報（ＴＭＰ＿ＥＸＴＩ）によりＤＶＤビデオファイル以外の拡張ファイルを管理し、前記空き領域管理情報（TMP_SBM：TemporarySpace Bitmap）により前記ＤＶＤビデオファイル及び拡張ファイルの記録領域を管理して、ＲＯＷ(Restricted Over Write)方式でＤＶＤビデオファイル及び拡張ファイルを記録することを特徴とする請求項６に記載の光ディスク記録装置。
【請求項９】
前記空き領域管理情報は、ＥＣＣブロックの使用状況をビットで表した空間ビットマップ情報と、前記ビットマップ情報のビットサイズが記述された空間ビットマップ管理テーブルからなり、
前記制御手段は、前記ＤＶＤビデオフォーマットに準拠した前記主ファイルと、前記ＤＶＤビデオフォーマットに準拠していない前記拡張ファイルが記録される空き領域を管理することを特徴とする請求項８記載の記録装置。
【請求項１０】
前記制御手段は、前記ＤＶＤビデオファイルを管理する前記仮ＶＭＧＩ（ＴＭＰ＿ＶＭＧＩ）、記ＤＶＤビデオファイル以外の前記拡張ファイルを管理する前記中間管理情報（ＴＭＰ＿ＥＸＴＩ）、前記ＤＶＤビデオファイル及び前記拡張ファイルの記録領域を管理する前記空き領域管理情報（ＴＭＰ＿ＳＢＭ）に基づいて、前記ＲＯＷ方式で記録されたＤＶＤビデオファイル及び拡張ファイルを管理するコンピュータ処理用のＵＤＦのデータを作成するとともに、前記仮ＶＭＧＩ（ＴＭＰ＿ＶＭＧＩ）だけからＤＶＤプレーヤ処理用のＶＭＧデータを作成して、ファイナライズ処理を行う特徴とする請求項９に記載の光ディスク記録装置。
【請求項１１】
記録に供するファイルと、前記ファイルの管理用情報とを組にして光ディスクのユーザーエリアに記録する光ディスク記録装置に備えられる制御コンピュータを、前記ファイルの属性に応じて、前記ユーザーエリアに対する前記ファイル及び前記管理用情報の記録フォーマットを切り換え、仮管理情報により主ファイルを管理し、中間管理情報により主ファイル以外の拡張ファイルを管理し、空き領域管理情報により上記主ファイル及び拡張ファイルが記録される空き領域を管理して、上記主ファイル及び拡張ファイルを混在させて光ディスクに記録する制御を行う制御手段として機能させることを特徴とする制御プログラムが前記制御コンピュータで読取可能に記録された情報記録媒体。
【請求項１２】
前記空き領域管理情報は、ＥＣＣブロックの使用状況をビットで表した空間ビットマップ情報と、前記ビットマップ情報のビットサイズが記述された空間ビットマップ管理テーブルからなり、前記主ファイルと、該主ファイルのフォーマットに準拠していない前記拡張ファイルが記録される空き領域を管理することを特徴とする制御プログラムが前記制御コンピュータで読取可能に記録された請求項１１記載の情報記録媒体。
【請求項１３】
前記空き領域管理情報は、ＥＣＣブロックの使用状況をビットで表した空間ビットマップ情報と、前記ビットマップ情報のビットサイズが記述された空間ビットマップ管理テーブルからなり、前記ＤＶＤビデオフォーマットに準拠した前記主ファイルと、前記ＤＶＤビデオフォーマットに準拠していない前記拡張ファイルが記録される空き領域を管理することを特徴とする制御プログラムが前記制御コンピュータで読取可能に記録された請求項１１記載の情報記録媒体。
【請求項１４】
前記ファイル及び前記管理用情報の記録フォーマットは、前記ファイルが動画のファイルの場合、ＤＶＤビデオフォーマットであり、
前記光ディスクはＤＶＤ−ＲＷ(DVD-Recordable)であり、前記ファイルは前記ＤＶＤビデオフォーマットにおけるＶＴＳ(Video Title Set)であり、さらに、前記管理情報は前記ＤＶＤビデオフォーマットにおけるＶＭＧＩ(Video Manager Information)であり、
仮ＶＭＧＩ（ＴＭＰ＿ＶＭＧＩ）によりＤＶＤビデオファイルを管理するとともに、前記中間管理情報（ＴＭＰ＿ＥＸＴＩ）によりＤＶＤビデオファイル以外の拡張ファイルを管理し、前記空き領域管理情報（TMP_SBM：TemporarySpace Bitmap）により前記ＤＶＤビデオファイル及び拡張ファイルの記録領域を管理して、ＲＯＷ(Restricted Over Write)方式でＤＶＤビデオファイル及び拡張ファイルを記録し、前記ＤＶＤビデオファイルを管理する前記仮ＶＭＧＩ（ＴＭＰ＿ＶＭＧＩ）、記ＤＶＤビデオファイル以外の前記拡張ファイルを管理する前記中間管理情報（ＴＭＰ＿ＥＸＴＩ）、前記ＤＶＤビデオファイル及び前記拡張ファイルの記録領域を管理する前記空き領域管理情報（ＴＭＰ＿ＳＢＭ）に基づいて、前記ＲＯＷ方式で記録されたＤＶＤビデオファイル及び拡張ファイルを管理するコンピュータ処理用のＵＤＦのデータを作成するとともに、前記仮ＶＭＧＩ（ＴＭＰ＿ＶＭＧＩ）だけからＤＶＤプレーヤ処理用のＶＭＧデータを作成して、ファイナライズ処理を行う特徴とする制御プログラムが前記制御コンピュータで読取可能に記録された請求項１３に記載の情報記録媒体。